(57)【要約】【課題】  パワーセーブ中に眼科装置の設定内容に変更があっても、元の内容で撮影等が可能な眼科システムを提供する。【解決手段】  検者がパワーセーブスイッチ１６を押下すと、パワーセーブ手段２０がパワーセーブを開始する前に、制御部１１が記憶装置１９に記憶されている設定内容をコンピュータ３０に送信し、記憶装置３２に記憶する。その後、眼科装置１０はパワーセーブ状態になる。再度パワーセーブスイッチ１６を押下すると、パワーセーブ手段２０は眼科装置１０のパワーセーブ状態を解除し、制御部１１は記憶装置１９に保存されている設定内容をコンピュータ３０に送信する。設定内容比較手段３３は、パワーセーブ前後の設定内容を比較する。設定内容が異なっている場合は、設定内容変更手段３４は、異なる部分を元の設定内容に変更して眼科装置１０に送信する。眼科装置１０はその設定内容で撮影等を行う。【選択図】      図２
2006026000.tif 000002
【特許請求の範囲】
【請求項１】
被検眼を観察及び撮影する観察撮影手段を含む眼科装置と、
操作部と、
前記操作部からの指示に従って前記眼科装置を制御する制御部と、
前記眼科装置の少なくとも一部の機能を停止及び機能停止を解除するパワーセーブ手段と、
前記パワーセーブ手段が前記眼科装置の少なくとも一部の機能を停止させる際に、前記操作部によって予め設定された前記眼科装置の動作に関する設定内容を記憶する記憶手段と、を有し、
前記制御部は、前記パワーセーブ手段により前記眼科装置の機能停止が解除されたとき、前記記憶手段に記憶されている設定内容で前記眼科装置を制御することを特徴とする眼科システム。
【請求項２】
前記記憶手段は、前記パワーセーブ手段が前記眼科装置の少なくとも一部の機能を停止させる際に、前記操作部によって設定された前記眼科装置の動作に関する設定内容を第１の設定内容として記憶し、
前記制御部は、前記パワーセーブ手段により前記眼科装置の機能停止が解除されたとき、機能停止解除後の前記眼科装置の動作に関する設定内容を第２の設定内容として、前記記憶手段に記憶されている前記第１の設定内容と比較し、設定内容が異なる場合は、前記第２の設定内容を前記第１の設定内容に変更して前記眼科装置を制御することを特徴とする請求項１に記載の眼科システム。
【請求項３】
蛍光剤が静注された被検体の被検眼の眼底を蛍光撮影する観察撮影手段を含む眼科装置と、
操作部と、
前記蛍光撮影のタイミングをカウントするタイマーと、
前記眼科装置の少なくとも一部の機能を停止及び機能停止を解除するパワーセーブ手段と、を有し、
前記パワーセーブ手段が前記眼科装置の機能を停止させる前に、前記タイマーがカウントを開始している場合に、
前記パワーセーブ手段が前記眼科装置の機能を停止させた場合、前記タイマーは機能停止下で前記カウントを継続し、
前記パワーセーブ手段は、前記タイマーが所定時間、カウントした後、前記眼科装置の機能停止を解除し、
前記観察撮影手段は、前記パワーセーブ手段により前記眼科装置の機能停止が解除されたとき、前記被検眼の眼底の蛍光撮影を行うことを特徴とする眼科システム。
【請求項４】
蛍光剤が静注された被検体の被検眼の眼底を蛍光撮影する観察撮影手段を含む眼科装置と、
前記蛍光撮影のタイミングをカウントするタイマーと、
操作部と、
前記操作部からの指示に従って前記眼科装置を制御する制御部と、
前記眼科装置の少なくとも一部の機能を停止及び機能停止を解除するパワーセーブ手段と、
記憶手段と、を有し、
前記パワーセーブ手段が前記眼科装置の機能を停止させる前に、前記タイマーがカウントを開始している場合に、
前記記憶手段は、前記タイマーが時間をカウントしている間に前記パワーセーブ手段が前記眼科装置の少なくとも一部の機能を停止させる際に、前記操作部によって予め設定された前記蛍光撮影の撮影条件を記憶し、
前記パワーセーブ手段は前記タイマーが所定時間、カウントした後、前記眼科装置の機能停止を解除し、
前記制御部は、前記パワーセーブ手段により前記眼科装置の機能停止が解除されたとき、前記記憶手段に記憶されている撮影条件で、前記観察撮影手段に前記被検眼の眼底を蛍光撮影させることを特徴とする眼科システム。
【請求項５】
前記記憶手段は、前記タイマーが時間をカウントしている間に前記パワーセーブ手段が前記眼科装置の機能を停止させる際に、前記操作部によって予め設定された前記蛍光撮影の撮影条件を第１の設定内容として記憶し、
前記制御部は、前記機能停止解除後の前記蛍光撮影の撮影条件を第２の設定内容として、前記記憶手段に記憶されている前記第１の設定内容と比較し、設定内容が異なる場合は、前記第２の設定内容を前記第１の設定内容に変更して、前記観察撮影手段に前記被検眼の眼底を蛍光撮影させることを特徴とする請求項４に記載の眼科システム。
【発明の詳細な説明】
【技術分野】
【０００１】
この発明は、パワーセーブ機能を備えた眼底カメラ等の眼科装置に関し、特に、パワーセーブ開始条件や、パワーセーブ開始時及び終了時の眼科装置の設定内容の処理に関するものである。
【背景技術】
【０００２】
従来の眼底カメラ等の眼科装置においては、一定時間使用されない場合に、省電力を図るために、眼科装置の各部への電力供給を停止して各機能を停止させるパワーセーブが行われている。例えば、眼底カメラの場合、一定時間使用しないと、被検眼の眼底を観察及び撮影するためのランプが自動的にＯＦＦされたり、眼底カメラに設置されているモニタが自動的にＯＦＦされたりする。
【０００３】
通常、検者によって任意の時間が設定され、その設定時間使用されないとパワーセーブを開始する制御が行われる。そして、眼科装置に設置されている操作スイッチ等を押すことによってパワーセーブ状態が解除され、眼科装置が起動する（例えば、特許文献１）。
【０００４】
一方、眼底カメラ、特に、被検眼の眼底の蛍光撮影を行うことが可能な眼底カメラにおいては、タイマー制御によって蛍光撮影が行なわれている。眼底の蛍光撮影では、特に、眼底の血管に蛍光剤が達して血管に広がる過程を撮影することが求められ、そのために、蛍光初期の段階から広がるまでの間に複数枚の撮影が行われる。さらに、蛍光剤が広がった後、しばらくの間撮影を中止し、その後撮影を再開することが行われている。このように、血管に蛍光剤が広がる過程の眼底像と、所定時間経過した後の眼底像の撮影が行われている。
【０００５】
所定時間経過後の撮影を行うために、上記のタイマー制御が行なわれている。蛍光剤が血管に広がって撮影を中止する時にタイマーをＯＮし、所定時間をタイマーがカウントする。そして、タイマーがその所定時間カウントすると、再び撮影が行われる。
【０００６】
【特許文献１】特開２００１−１７８６７６号公報（段落［００２２］）
【発明の開示】
【発明が解決しようとする課題】
【０００７】
時間を設定してパワーセーブ制御を行なう場合は、パワーセーブが開始されるまでの設定時間を短くすることによって、こまめにパワーセーブモード状態になり、消費電力を削減することができる。また、消費電力を削減するのであれば、眼科装置の電源をＯＦＦにしてしまうことも考えられる。
【０００８】
しかしながら、タイマーによって時間を設定してパワーセーブ制御を行なうと、設定時間によっては検者の意図しない時にパワーセーブが開始されてしまうおそれがある。例えば、省電力化を図るためにパワーセーブが開始されるまでの時間を短く設定すると、僅かな時間の間操作していないだけで、意図しないパワーセーブが開始されてしまい、使い勝手が良くない。また、設定時間を長くすると、使用していないときにも電力が消費されてしまい、省電力化を図ることが容易ではなくなる。
【０００９】
また、眼科装置の電源をＯＦＦしてしまうと、観察や撮影等を再開するためには、再度電源をＯＮする必要があり、装置が立ち上がるまでに時間がかかってしまう問題がある。
【００１０】
さらに、パワーセーブ状態下において、眼科装置を操作することによって眼科装置の撮影条件等の設定内容がパワーセーブ状態の前と解除後とで変わってしまうことがある。しかし、パワーセーブ状態になった場合に、パワーセーブ状態前の設定条件下で観察や撮影を行いたい場合がある。このような場合、パワーセーブ中に設定内容が変わってしまうと、パワーセーブ解除後に同じ条件下で撮影等を行うことができず、特に、意図せずに設定内容が変わってしまった場合は、所望の撮影等を行うことができないといった問題がある。
【００１１】
さらに、蛍光撮影のタイマーの設定時間とパワーセーブ開始の設定時間によっては、蛍光撮影のタイマーがカウントしている最中に眼底カメラがパワーセーブ状態になる場合がある。この場合、眼底カメラ全体の機能が停止してしまうため、タイマーのカウントも停止されてしまう。意図せずにパワーセーブ状態になってしまうと、意図せずに蛍光撮影のタイマーのカウントが停止してしまうため、設定した時間後の所望の眼底像を撮影することができないといった問題がある。
【００１２】
この発明は上記の問題を解決するものであり、パワーセーブが開始された時の設定内容を保存し、パワーセーブ解除後の眼科装置の設定内容と比較して修正することで、パワーセーブ解除後の眼科装置の設定内容が変わっても、元の設定内容で検査や撮影等が可能な眼科システムを提供することを目的とする。
【００１３】
また、蛍光撮影においてタイマーがカウントしている最中にパワーセーブ状態になっても、タイマーカウントを継続して眼底像の撮影を行うことが可能な眼科システムを提供することを目的とする。さらに、パワーセーブの前後で設定内容が変わっても、元の設定内容で撮影等が可能な眼科システムを提供することを目的とする。
【００１４】
さらに、検者の操作によって強制的にパワーセーブ状態の開始及び解除が可能な眼科システムを提供することで、検者の意図に従ったパワーセーブ制御が可能な眼科システムを提供することを目的とする。
【課題を解決するための手段】
【００１５】
請求項１に記載の発明は、被検眼を観察及び撮影する観察撮影手段を含む眼科装置と、操作部と、前記操作部からの指示に従って前記眼科装置を制御する制御部と、前記眼科装置の少なくとも一部の機能を停止及び機能停止を解除するパワーセーブ手段と、前記パワーセーブ手段が前記眼科装置の少なくとも一部の機能を停止させる際に、前記操作部によって予め設定された前記眼科装置の動作に関する設定内容を記憶する記憶手段と、を有し、前記制御部は、前記パワーセーブ手段により前記眼科装置の機能停止が解除されたとき、前記記憶手段に記憶されている設定内容で前記眼科装置を制御することを特徴とする眼科システムである。
【００１６】
パワーセーブ手段は、例えば、観察撮影手段に備えられている観察照明及び撮影照明への電力の供給を停止する。記憶手段に眼科装置の動作に関する設定内容を保存し、パワーセーブ中に眼科装置の設定内容が変更された場合、パワーセーブ解除に伴って設定内容を記憶手段に保存されている元の設定内容に戻して眼科装置の制御を行なう。そして、元に戻された設定内容で被検眼の撮影等を行う。なお、眼科装置の動作に関する設定内容には、撮影モード、視度補正、又は画角等が含まれる。
【００１７】
請求項２に記載の発明は、請求項１に記載の眼科システムであって、前記記憶手段は、前記パワーセーブ手段が前記眼科装置の少なくとも一部の機能を停止させる際に、前記操作部によって設定された前記眼科装置の動作に関する設定内容を第１の設定内容として記憶し、前記制御部は、前記パワーセーブ手段により前記眼科装置の機能停止が解除されたとき、機能停止解除後の前記眼科装置の動作に関する設定内容を第２の設定内容として、前記記憶手段に記憶されている前記第１の設定内容と比較し、設定内容が異なる場合は、前記第２の設定内容を前記第１の設定内容に変更して前記眼科装置を制御することを特徴とするものである。
【００１８】
請求項３に記載の発明は、蛍光剤が静注された被検体の被検眼の眼底を蛍光撮影する観察撮影手段を含む眼科装置と、操作部と、前記蛍光撮影のタイミングをカウントするタイマーと、前記眼科装置の少なくとも一部の機能を停止及び機能停止を解除するパワーセーブ手段と、を有し、前記パワーセーブ手段が前記眼科装置の機能を停止させる前に、前記タイマーがカウントを開始している場合に、前記パワーセーブ手段が前記眼科装置の機能を停止させた場合、前記タイマーは機能停止下で前記カウントを継続し、前記パワーセーブ手段は、前記タイマーが所定時間、カウントした後、前記眼科装置の機能停止を解除し、前記観察撮影手段は、前記パワーセーブ手段により前記眼科装置の機能停止が解除されたとき、前記被検眼の眼底の蛍光撮影を行うことを特徴とする眼科システムである。
【００１９】
請求項４に記載の発明は、蛍光剤が静注された被検体の被検眼の眼底を蛍光撮影する観察撮影手段を含む眼科装置と、前記蛍光撮影のタイミングをカウントするタイマーと、操作部と、前記操作部からの指示に従って前記眼科装置を制御する制御部と、前記眼科装置の少なくとも一部の機能を停止及び機能停止を解除するパワーセーブ手段と、記憶手段と、を有し、前記パワーセーブ手段が前記眼科装置の機能を停止させる前に、前記タイマーがカウントを開始している場合に、前記記憶手段は、前記タイマーが時間をカウントしている間に前記パワーセーブ手段が前記眼科装置の少なくとも一部の機能を停止させる際に、前記操作部によって予め設定された前記蛍光撮影の撮影条件を記憶し、前記パワーセーブ手段は前記タイマーが所定時間、カウントした後、前記眼科装置の機能停止を解除し、前記制御部は、前記パワーセーブ手段により前記眼科装置の機能停止が解除されたとき、前記記憶手段に記憶されている撮影条件で、前記観察撮影手段に前記被検眼の眼底を蛍光撮影させることを特徴とする眼科システムである。
【００２０】
この発明は、タイマー制御によって被検眼の眼底の蛍光撮影を行うものであり、時間をカウントしている間にパワーセーブ手段によって眼科装置の機能が停止された場合の制御に特徴を有するものである。パワーセーブ手段によって眼科装置の少なくとも一部の機能が停止されても、タイマーによるカウントは継続する。そして、所定時間経過すると、眼科装置の機能停止が解除され、眼科装置によって蛍光撮影が行われる。パワーセーブ状態中に蛍光撮影の撮影条件（例えば、撮影モード）が変更された場合、パワーセーブ解除に伴って撮影条件を記憶手段に記憶されている元の撮影条件に戻す制御を行なう。そして、元に戻された撮影条件で眼底の蛍光撮影を行う。
【００２１】
請求項５に記載の発明は、請求項４に記載の眼科システムであって、前記記憶手段は、前記タイマーが時間をカウントしている間に前記パワーセーブ手段が前記眼科装置の機能を停止させる際に、前記操作部によって予め設定された前記蛍光撮影の撮影条件を第１の設定内容として記憶し、前記制御部は、前記機能停止解除後の前記蛍光撮影の撮影条件を第２の設定内容として前記記憶手段に記憶されている前記第１の設定内容と比較し、設定内容が異なる場合は、前記第２の設定内容を前記第１の設定内容に変更して、前記観察撮影手段に前記被検眼の眼底を蛍光撮影させることを特徴とするものである。
【発明の効果】
【００２２】
請求項１に記載の発明によると、パワーセーブ前の眼科装置の設定内容を保存することで、パワーセーブ状態中に眼科装置の設定内容に変更があっても、元の設定内容で眼科装置を制御することが可能となる。その結果、パワーセーブから復帰する際に、元の状態に復帰することが可能となる。
【００２３】
請求項２に記載の発明によると、パワーセーブ前後の眼科装置の設定内容を比較して元の設定内容に変更することで、パワーセーブ状態中に眼科装置の設定内容に変更があっても、元の設定内容で眼科装置を制御することが可能となる。その結果、パワーセーブから復帰する際に、元の状態に復帰することが可能となる。
【００２４】
請求項３に記載の発明によると、蛍光撮影においてタイマーがカウントしている最中にパワーセーブ状態になっても、タイマーをカウントし続けることで予定通りに眼底像の蛍光撮影を行うことが可能となる。その結果、意図せずにパワーセーブ状態になっても所望の眼底像が得られる。
【００２５】
請求項４及び請求項５に記載の発明によると、蛍光撮影においてタイマーがカウントしている最中にパワーセーブ状態になっても、タイマーをカウントし続けることで予定通りに眼底像の蛍光撮影を行うことが可能となる。さらに、パワーセーブ状態中に設定内容の変更があっても、元の設定内容で撮影が可能となるため、所望の蛍光撮影が可能となる。
【発明を実施するための最良の形態】
【００２６】
以下、この発明の実施形態に係る眼科装置について、図１乃至図４を参照しつつ説明する。
【００２７】
（構成）
この発明の実施形態に係る眼科システムの構成について、図１及び図２を参照しつつ説明する。図１は、この発明の実施形態に係る眼科システムの概略構成を示す外観図である。図２は、この発明の実施形態に係る眼科システムの回路構成を示すブロック図である。
【００２８】
［外観］
図１及び図２に示すように、本実施形態に係る眼科システムは、眼底カメラ等からなる眼科装置１０と、その眼科装置１０に接続されたコンピュータ（ＰＣ）３０とを有して構成されている。なお、本実施形態においては、眼科装置１０として眼底カメラを用いた場合について説明する。眼底カメラとしての眼科装置１０は、被検眼の眼底を観察したり、眼底像を撮影したりする。また、眼科装置１０に接続されたコンピュータ（ＰＣ）３０は、眼科装置１０の撮影条件等の設定条件や眼科装置１０で撮影された眼底像等の画像データを保存・管理する。
【００２９】
図１に示すように、眼科装置（眼底カメラ）１０は、ベースＡと、架台Ｂと、装置本体Ｃと、顎受けＤと、額当てＥと、テレビカメラ装着部Ｆと、ファインダー光学系Ｆ’と、３５ｍｍフィルムカメラＧと、ジョイスティックＨと、撮影スイッチ１３とを備えて構成されている。
【００３０】
架台Ｂは、ジョイスティックＨの操作によってベースＡに対して前後左右方向に移動可能となっている。架台Ｂにはモニタ１８を有する装置本体Ｃが設けられている。この装置本体Ｂの内部には、眼底像を撮影するための撮影光学系（図示しない）が備えられている。また、ジョイスティックＨに設けられた撮影スイッチ１３を１回押下すると、撮影光学系（図示しない）から被検眼の眼底に撮影光が照射され、眼底像が３５ｍｍフィルムカメラＧ等で撮影される。
【００３１】
また、モニタ１８は、被検眼を観察する際に、その像を表示したり、３５ｍｍフィルムカメラＧで撮影する前のプレビューを表示したりする。
【００３２】
［回路構成］
次に、本実施形態に係る眼科システムに備えられているパワーモード制御回路の構成について、図２を参照しつつ説明する。図２に示すように、眼科装置１０は、ＣＰＵからなり、眼科装置１０の各部を制御する制御部１１と、コントロールパネル１２と、撮影スイッチ１３と、調光ボリューム１４と、検知カメラ１５とを有している。
【００３３】
コントロールパネル１２は、架台Ｂに設けられており、各種の設定が可能となっている。なお、このコントロールパネル１２はタッチパネル方式を採用しても構わない。このコントロールパネル１２によって、眼科装置（眼底カメラ）の内部の観察・撮影光学系に挿入されるバリアフィルタやエキサイタフィルタ等の蛍光フィルタの挿脱の制御、観察時のランプの光量、撮影時のランプの光量、及び撮影モードや固視標モードのモード切換え等が行えるようになっている。さらに、撮影枚数や光量の数値等が表示されることもある。通常は、このコントロールパネル１２によって撮影条件を設定し、その撮影条件は眼科装置（眼底カメラ）１０の記憶装置１９に記憶される。また、タッチパネル方式のコントロールパネル１２を所定時間継続して押下する（長押しする）ことにより、パワーセーブ手段２０によって眼科装置のパワーセーブが行われる。
【００３４】
撮影スイッチ１３は、観察・撮影手段１７から被検眼の眼底に撮影光を照射するためのスイッチとして機能する他、パワーセーブを強制的に開始させるためのスイッチとしても機能する。この撮影スイッチ１３を所定時間継続して押下する（長押し）することにより、パワーセーブ手段２０によって眼科装置１０のパワーセーブが行われる。
【００３５】
調光ボリューム１４は、観察時及び撮影時のランプの光量を調整するためのものであり、更に、パワーセーブを強制的に開始させる機能を有する。例えば、検者が光量の設定値を最小にすることにより、パワーセーブ手段２０によって眼科装置１０のパワーセーブが行われる。
【００３６】
検知カメラ１５は、例えば、眼科装置１０に設置された赤外線カメラからなり、検者を検知してパワーセーブ開始の制御に用いられるものである。例えば、モニタ１８の近辺に設置され、眼科装置１０の前から検者がいなくなって検知カメラ１５が検者を検知しなくなると、パワーセーブ手段２０によって眼科装置１０のパワーセーブが行われる。
【００３７】
パワーセーブスイッチ１６は、眼科装置１０に設置されたスイッチであり、検者によって押下されることにより、パワーセーブ手段２０によって眼科装置１０のパワーセーブが行われる。
【００３８】
観察・撮影手段１７は、照明光学系及び観察・撮影光学系を有し、被検眼の眼底観察及び眼底撮影を行う。例えば、被検眼の眼底の蛍光撮影を行う場合は、蛍光剤が静注された被検眼の眼底に可視光又は赤外光を照射する。そして、その照射で励起された蛍光を受光することで蛍光撮影が行われる。
【００３９】
記憶装置１９は、ＲＯＭ、ＲＡＭ等のメモリからなり、この記憶装置１９には、眼科装置１０を制御するためのプログラムや観察・撮影の際の設定条件等が記憶されている。
【００４０】
パワーセーブ手段２０は、コントロールパネル１２、撮影スイッチ１３、調光ボリューム１４、検知カメラ１５、又はパワーセーブスイッチ１６からパワーセーブ開始を示す信号を受けて、眼科装置１０の各部への電力供給を停止してパワーセーブ状態（スリープ状態）にする手段である。例えば、観察・撮影手段１７における観察又は撮影用のランプへの電力供給を停止して消灯させたり、モニタ１８の電源をＯＦＦしたりする。さらに、パワーセーブ状態時にパワーセーブスイッチ１６等からパワーセーブ解除を示す信号を受けて、眼科装置１０の各部への電力供給を再開する。
【００４１】
タイマー２１は、被検眼の眼底の蛍光撮影を行うときに用いられるものである。検者によって所定の時間が設定されると、タイマー２１がカウントを行う。そして、所定時間カウントすると、所定時間が経過したことを示す信号がタイマー２１から観察・撮影手段１７に出力され、観察・撮影手段１７によって眼底の蛍光撮影が行われる。
【００４２】
また、コンピュータ（ＰＣ）３０は、ＣＰＵからなる制御部３１と、記憶装置３２と、設定内容比較手段３３と、設定内容変更手段３４と、入力装置３５と、表示装置３６とを有している。
【００４３】
記憶装置３２は、例えば、ハードディスクや光ディスク装置等からなり、眼科装置１０から出力された眼底像等の画像データを保存する。さらに、眼科装置１０がパワーセーブ状態になる際に眼科装置１０から出力された各種の設定内容を保存する。なお、パワーセーブ状態前の設定内容がこの発明の「第１の設定内容」に相当し、以下、「第１の設定内容」と称する。
【００４４】
設定内容比較手段３３は、パワーセーブ状態になる際の眼科装置１０の設定内容（第１の設定内容）と、パワーセーブ解除後の眼科装置１０の設定内容とを比較するものである。なお、パワーセーブ解除後の設定内容がこの発明の「第２の設定内容」に相当し、以下、「第２の設定内容」と称する。従って、設定内容比較手段３３は、記憶装置３２に記憶されている第１の設定内容と、パワーセーブ解除後に眼科装置１０から出力されてくる第２の設定内容とを比較する。
【００４５】
眼科装置１０の設定内容には、例えば、撮影モード（カラー撮影モード、可視単色撮影モード、可視蛍光撮影モード、赤外蛍光撮影モード、赤外単色撮影モード等）、眼科装置１０内の内部固視表示の位置、視度補正、画角、タイマー２１のカウント等が含まれる。設定内容比較手段３３は、これらの内容を比較し、内容が一致しているか否かの判断を行ってその判断結果を制御部３１に出力する。
【００４６】
設定内容変更手段３４は、パワーセーブ解除後の第２の設定内容を変更する手段である。設定内容比較手段３３によって第１の設定内容と第２の設定内容とが異なると判断された場合、設定内容変更手段３４は、第２の設定内容の中で第１の設定内容と異なっている部分を第１の設定内容に変更して変更後の設定内容を眼科装置１０に出力する。例えば、第１の設定内容が可視蛍光撮影モードであり、第２の設定内容が赤外蛍光撮影モードであった場合、第２の設定内容の赤外蛍光撮影モードを可視蛍光撮影モードに変更して内容を修正する。
【００４７】
なお、本実施形態においては、設定内容比較手段３３と設定内容変更手段３４とは、コンピュータ（ＰＣ）３０に設けられているが、眼科装置１０に設けられていても構わない。
【００４８】
入力装置３５は例えばキーボードやマウス等からなる。この入力装置３５から眼科装置１０のパワーセーブ開始を示す情報を入力することも可能である。例えば、キーボードによってパワーセーブを示すコマンドが入力されると、そのコマンドを示す信号がコンピュータ（ＰＣ）３０から眼科装置１０の制御部１１に送信され、制御部１１はパワーセーブ開始の制御を行なう。また、表示装置３６は眼科装置１０で得られた眼底像等を表示するものである。
【００４９】
このコンピュータ（ＰＣ）３０は、眼科装置（眼底カメラ）１０に接続されることにより、眼科装置１０で撮影された眼底像等の画像データを保存及び検索するために用いられる。眼底像等の画像データは眼科装置１０の記憶装置３２に記憶され、データベース化されて検索可能となっている。なお、このコンピュータ（ＰＣ）３０がこの発明の「情報処理装置」に相当する。
【００５０】
（動作）
次に、本実施形態に係る眼科システムの動作について、図３及び図４に示すフローチャートを参照しつつ説明する。図３は、本実施形態に係る眼科システムの動作を順番に示すフローチャートである。図４は、本実施形態に係る眼科システムの別の動作を順番に示すフローチャートである。
【００５１】
まず、図３を参照しつつ眼科システムの動作を説明する。はじめに、眼科装置１０によって被検眼の眼底の観察又は撮影が行われる。観察・撮影手段１７を構成する光学系によって観察光又は撮影光が被検眼の眼底に照射され、眼底からの反射光や蛍光を受光することによって眼底の観察又は眼底像が撮影される。例えば、観察光の光源であるハロゲンランプから観察光を被検眼に照射することで、ファインダー光学系Ｆ’を通して被検眼の観察が行われる。眼底像を撮影する場合は、光源であるキセノンランプから撮影光を被検眼に照射し、３５ｍｍフィルムカメラＧにて被検眼の眼底像を撮影する。
【００５２】
そして、眼底の観察や撮影等を行わないときは、眼科装置１０を強制的にパワーセーブ状態にするために、検者がパワーセーブスイッチ１６を押下する。（ステップＳ０１）。その押下に対応する信号（パワーセーブ開始を示す信号）がパワーセーブスイッチ１６から制御部１１に出力される。制御部１１はパワーセーブ開始を示す信号を受信すると、パワーセーブ手段２０にパワーセーブを開始させる前に、記憶装置１９に記憶されている各種の設定内容をコンピュータ（ＰＣ）３０に送信する（ステップＳ０２）。この設定内容には、上述した、撮影モードの種類、内部固視表示の位置、及び画角等が含まれている。
【００５３】
なお、パワーセーブスイッチ１６以外に、コントロールパネル１２、撮影スイッチ１３、又はモニタ１８を所定時間継続して押下する（長押しする）ことによって強制的にパワーセーブを開始させることもできる。コントロールパネル１２にタッチパネル方式を採用した場合、パネルが数秒間押下されると、その押下に対応する信号（パワーセーブ開始を示す信号）がコントロールパネル１２から制御部１１に出力され、制御部１１はその信号を受けることによって記憶装置１９に記憶されている設定内容をコンピュータ（ＰＣ）３０に送信する。
【００５４】
また、撮影スイッチ１３を長押しすることで、撮影スイッチ１３からパワーセーブ開始を示す信号が制御部１１に出力され、制御部１１はその信号を受けて記憶装置１９に記憶されている設定内容をコンピュータ（ＰＣ）３０に送信する。撮影時に頻繁に使用される撮影スイッチ１３を用いて強制的にパワーセーブを行うことで、パワーセーブを行うための検者の作業範囲が狭くなるため、眼科装置の操作性を向上させることが可能となる。
【００５５】
モニタ１８についても、コントロールパネル１２と同様にタッチパネル方式を採用した場合、モニタ１８が数秒間押下されると、パワーセーブの制御が開始される。
【００５６】
さらに、調光ボリューム１４を用いて強制的にパワーセーブを開始させても良い。調光ボリューム１４によって光量の設定値を最小にした場合、設定値が最小を示す信号が調光ボリューム１４から制御部１１に出力される。そして、制御部１１はその信号を受けることによって記憶装置１９に記憶されている設定内容をコンピュータ（ＰＣ）３０に送信する。調光ボリューム１４の設定値を最小にするということは、照明を用いた観察や撮影を行わないときであると考えられる。特に、眼底を観察しているときに観察光の光量を最小にするということは、観察を中止することを意味する。従って、設定値を最小にすると同時にパワーセーブ制御を行なうこととしている。このように調光ボリュームの設定値に基づいてパワーセーブを行うことで、眼科装置の操作性を向上させることが可能となる。
【００５７】
また、設定値を最小にしたときだけでなく、予め基準値を決めておき、光量の設定値がその基準値以下に設定された場合に、パワーセーブ制御を開始しても良い。
【００５８】
また、検知カメラ１５が検者を検知しなくなった場合に、強制的にパワーセーブを開始して良い。検者が眼科装置１０から離れると、赤外線カメラからなる検知カメラ１５が検者の存在を検知していた状態から検知しない状態に変わる。このとき、検知カメラ１５から制御部１１に検知状態の変化を示す信号が出力される。制御部１１はその信号を受けることによって記憶装置１９に記憶されている設定内容をコンピュータ（ＰＣ）３０に送信する。検知カメラ１５を用いて強制的にパワーセーブを行うことで、パワーセーブを行うために検者は眼科装置１０を操作する必要がないため、眼科装置１０の操作性を向上させることが可能となる。
【００５９】
また、タイマー２１が所定時間をカウントし、その所定時間の間、眼科装置１０が操作されなかったときにパワーセーブ状態を開始しても良い。
【００６０】
さらに、コンピュータ（ＰＣ）３０に設けられている入力装置３５によって強制的にパワーセーブを開始させても良い。キーボード等で構成されている入力装置３５からパワーセーブを示すコマンドが入力されると、そのコマンドを示す信号がコンピュータ（ＰＣ）３０の制御部３１を介して眼科装置１０の制御部１１に送信される。制御部１１はその信号を受けることによって記憶装置１９に記憶されている設定内容をコンピュータ（ＰＣ）３０に送信する。
【００６１】
このように、コンピュータ（ＰＣ）３０側からパワーセーブ制御を行なうことにより、被検眼の画像データによって診断している最中や画像処理中であっても眼科装置１０のパワーセーブ制御が可能となる。
【００６２】
そして、眼科装置１０から送信された第１の設定内容は、コンピュータ（ＰＣ）３０の記憶装置３２に記憶される（ステップＳ０３）。第１の設定内容の送受信が行われた後、パワーセーブ手段２０によって眼科装置１０はパワーセーブ状態になる。例えば、観察・撮影手段１７に備えられている観察又は撮影用のランプへの電力供給を停止して消灯させたり、モニタ１８の電源をＯＦＦしたりする。
【００６３】
そして、眼科装置１０を使用するときには、再度、パワーセーブスイッチ１６やコントロールパネル１２や撮影スイッチ１３を押下したり、調光ボリューム１４の設定値を高くしたりする。また、コンピュータ（ＰＣ）３０の入力装置３６からパワーセーブ終了を示すコマンドを入力する。押下又はコマンドに対応する信号が制御部１１に出力され、制御部１１を介してパワーセーブ手段２０に出力され、パワーセーブ手段２０は眼科装置１０のパワーセーブ状態を解除する（ステップＳ０４）。さらに、検者が眼科装置１０に近づき、検知カメラ１５が検者の存在を確認することで、検知を示す信号が検知カメラ１５から制御部１１に出力され、パワーセーブ状態解除の制御が行なわれる。
【００６４】
パワーセーブ状態が解除されると、制御部１１は記憶装置１９に保存されている設定内容（第２の設定内容）をコンピュータ（ＰＣ）３０に送信する（ステップＳ０５）。送信された第２の設定内容は設定内容比較手段３３に入力され、記憶装置３２から第１の設定内容が設定内容比較手段３３に出力される。そして、設定内容比較手段３３が第１の設定内容と第２の設定内容とを比較し（ステップＳ０６）、内容が一致しているか否かの判断を行う（ステップＳ０７）。
【００６５】
パワーセーブ状態下であっても、コントロールパネル１２等を検者が操作することで、眼科装置１０の観察・撮影に関する設定内容が変わってしまう場合がある。例えば、撮影モードが元々、可視蛍光撮影モードであったものが、パワーセーブ状態下で、赤外蛍光撮影モードに変えられてしまうことがある。
【００６６】
例えば、第１の設定内容の撮影モードが可視蛍光撮影モードとなっており、第２の設定内容の撮影モードが赤外蛍光撮影モードになっているとする。設定内容比較手段３３はこれらの内容を比較し、設定内容が全て一致しているか否かの判断を行う。この例においては、撮影モードが異なっている。
【００６７】
設定内容が異なっていると判断された場合（ステップＳ０７、Ｙｅｓ）は、設定内容比較手段３３は、設定内容が一致しないことを示す信号を設定内容変更手段３４に出力する。そして、設定内容変更手段３４は、第２の設定内容において第１の設定内容と異なる部分を元の第１の設定内容に変更する（ステップＳ０８）。変更された設定内容は設定内容変更手段３４から眼科装置１０に送信される。
【００６８】
そして、変更された設定内容は記憶装置１９にて保存され、第２の設定内容は変更後の設定内容に更新される（ステップＳ０９）。つまり、パワーセーブ中に設定内容が変わっても、パワーセーブ開始前の元の内容に戻されることになる。そして、元に戻った設定内容（第１の設定内容）で眼底の撮影等が行われる。
【００６９】
また、ステップＳ０７にて設定内容比較手段３３により設定内容が一致していると判断された場合は（ステップＳ０７、Ｎｏ）、眼科装置１０にて記憶されている設定内容（第１の設定内容）で観察又は撮影が行われる（ステップＳ１０）。
【００７０】
このように、パワーセーブ後の設定内容をパワーセーブ前の設定内容に戻すことによって、パワーセーブ中に設定内容が変わってしまっても、元の設定内容で観察又は撮影を行うことが可能となる。
【００７１】
また、パワーセーブスイッチ１６やコントロールパネル１２等によって強制的にパワーセーブ状態とすることが可能となるため、パワーセーブ状態になるのを待つ必要がなくなり、検者の都合に合わせて眼科装置１０の機能を停止させることが可能となる。その結果、検者の意図に従ったパワーセーブ制御が可能となり、眼科装置１０の利便性を向上させることが可能となる。
【００７２】
（別の動作）
次に、図４を参照しつつ眼科システムの別の動作を説明する。この動作は被検眼の眼底の蛍光撮影時に行われるものである。まず、眼科装置１０によって被検眼の眼底の蛍光撮影が行われる。患者に蛍光剤を静注し、眼底の血管に蛍光剤が達して血管に広がる過程を観察・撮影手段１７によって撮影する。具体的には、観察・撮影手段１７を構成する光学系によって撮影光を被検眼の眼底に照射し、その観察光が眼底の血管に達した蛍光剤に照射され、その照射によって励起された蛍光をビデオカメラ（デジタルカメラ）や３５ｍｍフィルムカメラＧにて撮影する。
【００７３】
そして、蛍光剤が広がる過程を撮影した後、所定の時間が経過した後の眼底像を撮影するため、タイマー２１をＯＮして所定時間のカウントを開始する（ステップＳ２０）。例えば、コントロールパネル１２によって時間を設定し、カウントスタートボタンを検者が押下することで、タイマー２１のカウントが開始される。例えば、５分程度の時間を設定し、５分後の眼底像を撮影する。
【００７４】
このようにタイマー２１にて時間をカウントし、その間、撮影を行わないのは、患者に負担を掛けないためである。撮影用のフラッシュ光は患者にとって非常に眩しいため、連続して何十枚も撮影することは患者に過度の負担を掛けることになってしまう。従って、患者の負担を軽減するためにも、一度撮影を中止し、撮影再開をタイマー制御によって行う。
【００７５】
その後、検者の操作によって強制的に、又はタイマー制御によって、眼科装置１０がパワーセーブ状態になる（ステップＳ２１）。上述した動作と同様に、パワースイッチ１６等が押下された場合に、眼科装置１０がパワーセーブ状態になる。蛍光撮影のためのタイマーカウント中にパワーセーブ状態になる場合として、検者の操作によって誤ってパワーセーブ状態になる場合や、タイマー制御によってパワーセーブが行なわれる場合においてパワーセーブ開始までの時間が短く設定されている場合等が想定される。
【００７６】
パワーセーブ制御が行なわれる場合であっても、蛍光撮影を再開するためのタイマー２１はカウントを継続する。パワーセーブ手段２０はパワーセーブ開始を示す信号を受信すると、観察・撮影手段１７等の機能を停止させるが、タイマー２１の動作は停止させない。そのことにより、タイマー２１はカウントを継続することが可能となる。
【００７７】
そして、パワーセーブ開始を示す信号がパワーセーブスイッチ１６から制御部１１に出力されると、制御部１１は記憶装置１９に記憶されている各種の設定内容（第１の設定内容）をコンピュータ（ＰＣ）３０に送信する（ステップＳ２２）。そして、眼科装置１０から送信された第１の設定内容は、コンピュータ（ＰＣ）３０の記憶装置３２に記憶される（ステップＳ２３）。そして、第１の設定内容の送受信後に、パワーセーブ手段２０によって眼科装置１０はパワーセーブ状態になる。このとき、タイマー２１の動作は継続させる。
【００７８】
そして、タイマー２１が所定時間カウントすると、タイマー２１からカウント終了を示す信号がパワーセーブ手段２０に出力され、パワーセーブ手段２０は眼科装置１０のパワーセーブ状態を解除する（ステップＳ２４）。このように、蛍光撮影再開のためのタイマー２１がカウントを終了するとともに、パワーセーブ状態を解除する。つまり、パワーセーブ状態を解除するための特別の操作や処理を行わなくても、蛍光撮影再開のために自動的にパワーセーブが解除される。
【００７９】
パワーセーブ状態が解除されると、眼科装置１０は記憶装置１９に保存されている設定内容（第２の設定内容）をコンピュータ（ＰＣ）３０に送信する（ステップＳ２５）。そして、第２の設定内容は、設定内容比較手段３３に入力される。さらに、記憶装置３２から第１の設定内容が設定内容比較手段３３に出力され、それらの内容が比較され（ステップＳ２６）、内容が一致しているか否かの判断がなされる（ステップＳ２７）。
【００８０】
そして、設定内容が異なっている場合は（ステップＳ２７、Ｙｅｓ）は、設定内容比較手段３３から設定内容変更手段３４に、内容不一致を示す信号が出力される。設定内容変更手段３４は、第２の設定内容において第１の設定内容と異なる部分を元の第１の設定内容に変更する（ステップＳ２８）。変更された設定内容は眼科装置１０に送信される。
【００８１】
そして、変更された設定内容は記憶装置１９に保存され、第２の設定内容は変更後の設定内容に更新される（ステップＳ２９）。このように元に戻った設定内容（第１の設定内容）で眼底の蛍光撮影が行われる。
【００８２】
また、ステップＳ２７にて設定内容が一致していると判断された場合は（ステップＳ２７、Ｎｏ）、眼科装置１０にて記憶されている設定内容（第１の設定内容）で眼底の蛍光撮影が行われる（ステップＳ３０）。
【００８３】
このように、タイマー制御によって蛍光撮影を行いたい場合に、パワーセーブ状態になってもタイマーカウントを継続することで、所定時間後に所望の蛍光撮影を行うことが可能となる。また、蛍光撮影を行いたい場合にパワーセーブ状態になってパワーセーブ中に設定内容が変わっても、パワーセーブ前の設定内容に戻すことによって元の設定内容で所望の蛍光撮影が可能となる。
【００８４】
また、上述した実施形態においては、ステップＳ０８とステップＳ２８とで、設定内容変更手段３４が自動的に設定内容を元の第１の設定内容に変更しているが、第２の設定内容から第１の設定内容への変更を選択可能にしても良い。設定内容を自動的に変更する前に、モニタ１８又は表示装置３６によって、設定内容を変更するか否かの選択画面を表示する。例えば、モニタ１８等に「設定内容を変更しますか？  Ｙｅｓ  ｏｒ  Ｎｏ」等の画面を表示する。そして、検者がモニタ１８の画面を押下したり、コンピュータ（ＰＣ）３０の入力装置３６によってコマンドを入力したりすることで、眼科システムに変更の命令を与える。
【００８５】
この選択画面で、「Ｙｅｓ」が選択されることで、設定内容変更手段３４は第２の設定内容を第１の設定内容に変更し、「Ｎｏ」が選択されると、第２の設定内容で撮影が行われる。このように、検者が変更を選択することで、意図的に設定内容が変更された場合に、自動的に元の設定内容（第１の設定内容）に変更されることを回避することが可能となる。
【００８６】
さらに、モニタ１８等に第１の設定内容と第２の設定内容とで異なる部分を表示させ、元の設定内容に変更するか否かの選択画面を表示しても良い。例えば、第１の設定内容と第２の設定内容とで撮影モードが異なる場合、モニタ１８等の画面にその異なる部分を対比して表示する。具体的には、「第１の設定内容：可視蛍光撮影モード  第２の設定内容：赤外蛍光撮影モード」等のように設定内容を対比して表示し、さらに「設定内容を変更しますか？  Ｙｅｓ  ｏｒ  Ｎｏ」等の選択画面を表示する。
【００８７】
また、設定内容に異なる部分が複数ある場合は、全てを変更するのか、部分的に変更するのかを選択可能にモニタ１８又は表示装置３５に表示しても良い。検者が入力装置３６によって変更すべき内容を選択することで、設定内容変更手段３４はその内容のみを元の設定内容に変更する。例えば、撮影モード及び画角が異なっていた場合において、検者が撮影モードのみを選択した場合は、設定内容変更手段３４は撮影モードのみを元の設定内容に戻し、画角についてはそのままの設定内容に維持する。このように選択可能にすることで、眼科システムの使い勝手が良くなる。
【図面の簡単な説明】
【００８８】
【図１】この発明の実施形態に係る眼科システムの概略構成を示す外観図である。
【図２】この発明の実施形態に係る眼科システムの回路構成を示すブロック図である。
【図３】この発明の実施形態に係る眼科システムの動作を順番に説明するためのフローチャートである。
【図４】この発明の実施形態に係る眼科システムの別の動作を順番に説明するためのフローチャートである。
【符号の説明】
【００８９】
１０  眼科装置（眼底カメラ）
２０  パワーセーブ手段
２１  タイマー
３０  コンピュータ（ＰＣ）
３３  設定内容比較手段
３４  設定内容変更手段
【図１】
2006026000.tif 000003
【図２】
2006026000.tif 000004
【図３】
2006026000.tif 000005
【図４】
2006026000.tif 000006